(57)【要約】【課題】運転支援の要否を適切に判断し、効果的な運転支援を実施できる運転支援装置及び運転支援方法を提供する。【解決手段】運転支援装置１は、ＴＴＣ及びＴＴＶを予測する衝突時間予測部３０と、ＴＴＣ及びＴＴＶを予め設定されたマップＭに適用して、自車両において運転支援を実施するか否かの判断を行う運転支援判断部３４と、自車両における運転支援を制御する運転支援制御部３８と、運転支援判断部３４によってＴＴＣ及びＴＴＶをマップＭに適用してＴＴＣ及びＴＴＶの交点がマップＭ上に最初に存在しときに、その交点が所定の領域に存在している場合、運転支援判断部３４によって運転支援を実施すると判断され易くなるように前記マップを変更するマップ変更部３６とを備える。【選択図】図１
2013156687.tif 000002
【特許請求の範囲】
【請求項１】
自車両と移動体との衝突を回避する運転支援を実施する運転支援装置であって、
前記自車両の進行方向と当該進行方向に交差する方向とにおいて前記自車両と前記移動体とが交差する交差地点に前記自車両が到達するまでの第１時間を予測する第１時間予測手段と、
前記移動体が前記進行方向に交差する方向において前記交差地点に到達するまでの第２時間を予測する第２時間予測手段と、
前記第１及び第２時間予測手段によって予測された前記第１及び第２時間を予め設定されたマップに適用して、前記自車両において運転支援を実施するか否かの判断を行う運転支援判断手段と、
前記運転支援判断手段により前記自車両において運転支援を実施すると判断された場合に、前記自車両における運転支援を制御する運転支援制御手段と、
前記運転支援判断手段によって前記第１及び第２時間を前記マップに適用して当該第１及び第２時間の関係を表す点が前記マップ上に最初に存在しときに、当該点が所定の領域に存在している場合、前記運転支援判断手段によって運転支援を実施すると判断され易くなるように前記マップを変更するマップ変更手段と、
を備えることを特徴とする運転支援装置。
【請求項２】
前記マップ変更手段は、前記マップ上において、前記自車両の方が前記移動体よりも先に前記交差地点を通過する領域に前記点が存在し、且つ前記第２時間が予め設定された閾値よりも小さい場合に、前記マップを変更する請求項１記載の運転支援装置。
【請求項３】
前記マップは、運転支援が不要であると判断される第１領域と、運転支援が必要であると判断される第２領域とが設定されており、
前記マップ変更手段は、前記第２領域を拡大するように前記マップを変更する請求項１又は２記載の運転支援装置。
【請求項４】
自車両と移動体との衝突を回避する運転支援を実施する運転支援方法であって、
前記自車両の進行方向と当該進行方向に交差する方向とにおいて前記自車両と前記移動体とが交差する交差地点に前記自車両が到達するまでの第１時間を予測する第１時間予測ステップと、
前記移動体が前記進行方向に交差する方向において前記交差地点に到達するまでの第２時間を予測する第２時間予測ステップと、
前記第１及び第２時間予測ステップにおいて予測された前記第１及び第２時間を予め設定されたマップに適用して、前記自車両において運転支援を実施するか否かの判断を行う運転支援判断ステップと、
前記運転支援判断ステップにおいて前記自車両において運転支援を実施すると判断された場合に、前記自車両における運転支援を制御する運転支援制御ステップと、
前記運転支援判断ステップにおいて前記第１及び第２時間を前記マップに適用して当該第１及び第２時間の関係を表す点が前記マップ上に最初に存在しときに、当該点が所定の領域に存在している場合、前記運転支援判断ステップにおいて運転支援を実施すると判断され易くなるように前記マップを変更するマップ変更ステップと、
を含むことを特徴とする運転支援方法。
【発明の詳細な説明】
【技術分野】
【０００１】
本発明は、自車両と移動体との衝突を回避するための運転支援を実施する運転支援装置及び運転支援方法に関する。
【背景技術】
【０００２】
従来の運転支援装置として、例えば特許文献１に記載されたものが知られている。特許文献１に記載の運転支援装置では、自車両の進行方向に存在する物体の位置を検出し、検出された物体の進行方向に対する横移動速度が所定速度以下であるか否かを判断している。そして、この運転支援装置では、横移動速度が所定速度以下であると判断した場合に、移動体の検出方向と自車両の進行方向とからなる検出角度に基づいて自車両と移動体との接触の可能性を判定している。
【先行技術文献】
【特許文献】
【０００３】
【特許文献１】特開２０１０−２５７２９８号公報
【発明の概要】
【発明が解決しようとする課題】
【０００４】
ところで、自車両の進行方向の前方にいる歩行者が道路を横断しようとしている状況において、歩行者との衝突を回避するための運転支援を実施しなくても、自車両が歩行者の位置する地点に到達したときには歩行者が既に道路を横断し終えていることがある。従来の運転支援装置では、そのような状況であっても、横移動速度が所定速度以下である場合に自車両となす検出角度に基づいて接触の可能性を判定し、運転支援を実施する可能性がある。したがって、不要な運転支援が実施されるおそれがあり、実際の状況との違いに運転者が違和感を覚えるといった問題が生じ得る。
【０００５】
本発明は、上記課題を解決するためになされたものであり、運転支援の要否を適切に判断し、効果的な運転支援を実施できる運転支援装置及び運転支援方法を提供することを目的とする。
【課題を解決するための手段】
【０００６】
上記課題を解決するために、本発明に係る運転支援装置は、自車両と移動体との衝突を回避する運転支援を実施する運転支援装置であって、自車両の進行方向と当該進行方向に交差する方向とにおいて自車両と移動体とが交差する交差地点に自車両が到達するまでの第１時間を予測する第１時間予測手段と、移動体が進行方向に交差する方向において交差地点に到達するまでの第２時間を予測する第２時間予測手段と、第１及び第２時間予測手段によって予測された第１及び第２時間を予め設定されたマップに適用して、自車両において運転支援を実施するか否かの判断を行う運転支援判断手段と、運転支援判断手段により自車両において運転支援を実施すると判断された場合に、自車両における運転支援を制御する運転支援制御手段と、運転支援判断手段によって第１及び第２時間をマップに適用して当該第１及び第２時間の関係を表す点がマップ上に最初に存在しときに、当該点が所定の領域に存在している場合、運転支援判断手段によって運転支援を実施すると判断され易くなるようにマップを変更するマップ変更手段と、を備えることを特徴とする。
【０００７】
この運転支援装置では、移動体が交差地点に到達するまでの第２時間を予測するため、運転支援の要否を適切に判断して運転支援を実施できる。これにより、効果的な運転支援の実施が可能となる。また、第１及び第２時間をマップに適用したときに最初にマップ上に存在する点が所定の領域に存在する場合、運転支援判断手段によって運転支援を実施すると判断され易くなるようにマップを変更する。例えば自車両の進行方向に沿って移動体が移動している状態から、移動体が自車両の進行方向に交差する方向に向きを変えたときには、自車両が交差地点に近づいている状態であり、移動体よりも先に自車両が交差地点を通過する可能性があるため、運転支援が実施されない場合がある。しかし、自車両の運転者は、運転支援の必要性を感じることがある。そこで、第１時間及び第２時間の関係を表す点が最初にマップ上に存在した位置に基づいてマップを変更して、運転支援を実施し易くすることにより、上記のような状況においても運転支援を実施できる。したがって、運転者の違和感を軽減できる。
【０００８】
マップ変更手段は、マップ上において、自車両の方が移動体よりも先に交差地点を通過する領域に点が存在し、且つ第２時間が予め設定された閾値よりも小さい場合に、マップを変更することが好ましい。
【０００９】
マップは、運転支援が不要であると判断される第１領域と、運転支援が必要であると判断される第２領域とが設定されており、マップ変更手段は、第２領域を拡大するようにマップを変更することが好ましい。このように、運転支援が必要であると判断される第２領域を拡大することにより、運転支援判断手段によって運転支援を実施すると判断され易くできる。
【００１０】
本発明に係る運転支援方法は、自車両と移動体との衝突を回避する運転支援を実施する運転支援方法であって、自車両の進行方向と当該進行方向に交差する方向とにおいて自車両と移動体とが交差する交差地点に自車両が到達するまでの第１時間を予測する第１時間予測ステップと、移動体が進行方向に交差する方向において交差地点に到達するまでの第２時間を予測する第２時間予測ステップと、第１及び第２時間予測ステップにおいて予測された第１及び第２時間を予め設定されたマップに適用して、自車両において運転支援を実施するか否かの判断を行う運転支援判断ステップと、運転支援判断ステップにおいて自車両において運転支援を実施すると判断された場合に、自車両における運転支援を制御する運転支援制御ステップと、運転支援判断ステップにおいて第１及び第２時間をマップに適用して当該第１及び第２時間の関係を表す点がマップ上に最初に存在しときに、当該点が所定の領域に存在している場合、運転支援判断ステップにおいて運転支援を実施すると判断され易くなるようにマップを変更するマップ変更ステップと、を含むことを特徴とする。
【発明の効果】
【００１１】
本発明によれば、運転支援の要否を適切に判断し、効果的な運転支援を実施できる。
【図面の簡単な説明】
【００１２】
【図１】一実施形態に係る運転支援装置を示す図である。
【図２】マップを示す図である。
【図３】運転支援判断部における運転支援要否の判断方法を説明するための図である。
【図４】自車両と移動体との関係を示す図である。
【図５】マップ上に最初に存在する交点を説明する図である。
【図６】変更されたマップを示す図である。
【図７】変更されたマップを用いた運転支援判断部における運転支援要否の判断方法を説明するための図である。
【図８】運転支援装置の動作を示すフローチャートである。
【発明を実施するための形態】
【００１３】
以下、添付図面を参照して、本発明の好適な実施形態について詳細に説明する。なお、図面の説明において同一又は相当要素には同一符号を付し、重複する説明は省略する。
【００１４】
図１に示すように、運転支援装置１は、ＥＣＵ（Electronic ControlUnit）３を備えている。ＥＣＵ３には、移動体検出センサ５と、車両センサ７と、ＨＭＩ（HumanMachine Interface）９と、介入制御ＥＣＵ１１とが接続されている。ＥＣＵ３及び介入制御ＥＣＵ１１は、ＣＰＵ[Central Processing Unit]、ＲＯＭ[Read OnlyMemory]、ＲＡＭ[Random Access Memory]などからなる電子制御ユニットであり、プログラムによって動作する。
【００１５】
移動体検出センサ５は、移動体を検出する外界センサである。移動体検出センサ５は、例えば、レーザーレーダーやミリ波レーダー、カメラなどの撮像手段である。移動体検出センサ５は、ミリ波レーダーである場合、周波数変調されたミリ波帯のレーダー波を送受信することにより、自車両の前方に位置する移動体を検出し、検出結果に基づいて、移動体の位置や速度などの移動体情報を生成する。移動体検出センサ５は、移動体情報をＥＣＵ３に出力する。なお、移動体検出センサ５がカメラである場合には、撮像した画像に画像処理を施して移動体情報を生成する。また、移動体検出センサ５は、ミリ波レーダー及びカメラの両方から構成されていてもよい。
【００１６】
車両センサ７は、自車両の走行状態を検出する内界センサである。車両センサ７は、例えば、車両のヨーレートを検出するヨーレートセンサ、ステアリングの操舵角を検出する操舵角センサ、車両の車速（走行速度）を検出する車速センサなどである。車両センサ７は、検出した自車両の走行状態を示す車両情報をＥＣＵ３に出力する。
【００１７】
ＥＣＵ３は、衝突時間予測部（第１時間予測手段、第２時間予測手段）３０と、マップ記憶部３２と、運転支援判断部（運転支援判断手段）３４と、マップ変更部（マップ変更手段）３６と、運転支援制御部（運転支援制御手段）３８とを備えている。
【００１８】
衝突時間予測部３０は、自車両及び移動体が交差地点に到達するまでの時間を予測する部分である。衝突時間予測部３０は、移動体検出センサ５から出力された移動体情報、及び、車両センサ７から出力された車両情報を受け取ると、移動体情報及び車両情報に基づいて自車両と移動体との衝突時間、すなわち自車両と移動体とが交差する交差地点に自車両及び移動体がそれぞれ到達するまでの時間を算出する。
【００１９】
衝突時間予測部３０は、車両情報に基づいて自車両の予測軌跡などを求め、自車両が交差地点に到達するまでの時間、すなわち自車両が現在の状態で進行方向に走行した場合に何秒後に移動体に衝突するかを示す値であるＴＴＣ（Time To Collision、第１時間）を算出する。また、衝突時間予測部３０は、移動体情報に基づいて移動体の速度ベクトルなどを求め、移動体が交差地点に到達するまでの時間、すなわち移動体が現在の状態で自車両の進行方向に交差する方向（自車両の横方向）に移動した場合に何秒後に自車両に衝突するかを示す値であるＴＴＶ（Time To Vehicle、第２時間）を算出する。
【００２０】
衝突時間予測部３０は、以下の式（１）及び（２）によりＴＴＣ及びＴＴＶを算出する。
ＴＴＣ＝ｘ／（Ｖ−ｖｘ）  …（１）
ＴＴＶ＝ｙ／ｖｙ  …（２）
上記式（１），（２）において、Ｖ：自車両の速度、ｘ，ｙ：移動体の相対位置、ｖｘ，ｖｙ：移動体の速度である。衝突時間予測部３０は、算出したＴＴＣ及びＴＴＶを示すＴＴＣ情報及びＴＴＶ情報を運転支援判断部３４に出力する。
【００２１】
マップ記憶部３２は、マップＭを記憶している。図２は、マップを示す図である。図２に示すように、マップＭは、縦軸がＴＴＣ［ｓ］、横軸がＴＴＶ［ｓ］であり、ＴＴＣとＴＴＶとの相対関係を示している。マップＭにおいて、原点が自車両と移動体との交差地点に設定されている。マップＭでは、原点から離れるにつれて（ＴＴＣ、ＴＴＶが大きくなるにつれて）交差地点から離れた場所に位置していることとなる。マップＭには、運転支援不要エリア（第１領域）Ａ１と、運転支援エリア（第２領域）Ａ２とが設定されている。マップＭについて、以下具体的に説明する。
【００２２】
運転支援エリアＡ２は、ｙ＝ｆｘ（ＴＴＣ，ＴＴＶ）の関数に囲まれた領域である。運転支援エリアＡ２を規定する２本の直線は、ＴＴＣとＴＴＶとの差分（ＴＴＣ−ＴＴＶ）で設定されている。マップＭにおいて、Ｔ１及びＴ２は、例えば１〜３秒に設定されている。
【００２３】
運転支援エリアＡ２には、予め運転支援の制御内容が緊急度に応じて複数設定されており、ＨＭＩエリアＡ２１と、介入制御エリアＡ２２と、緊急介入制御エリアＡ２３とが設定されている。ＨＭＩエリアＡ２１は、運転者に対して警告を行うといった運転支援を実施するエリアである。介入制御エリアＡ２２は、ＨＭＩエリアＡ２１の内側に設定されている。介入制御エリアＡ２２は、制動などの介入制御を実施するエリアである。緊急介入制御エリアＡ２３は、急制動などを実施し、衝突を回避するための緊急介入制御を実施するエリアである。緊急介入制御エリアＡ２３は、マップＭの原点寄り、つまり自車両と移動体との交差地点に近い部分に設定されている。
【００２４】
運転支援不要エリアＡ１は、運転支援エリアＡ２以外の部分であり、自車両と移動体との衝突を回避するための運転支援を必要としないエリアである。つまり、運転支援不要エリアＡ１に該当する場合には、自車両が交差地点に到達するときには移動体が交差地点を既に通過している、或いは、移動体が交差地点から離れた場所に位置していることになる。
【００２５】
マップＭは、実験データなどに基づいて運転支援エリアＡ２及び運転支援不要エリアＡ１が設定されていてもよいし、運転者の運転特性（アクセル特性、ブレーキ特性）を学習させることにより運転支援エリアＡ２及び運転支援不要エリアＡ１が設定されてもよい。また、マップＭにおいては、介入制御エリアＡ２２及び緊急介入制御エリアＡ２３において、運転支援の制御量がそれぞれ設定されていてもよい。マップ記憶部３２に記憶（格納）されるマップＭは、書き換え（マップＭの更新）可能とされている。
【００２６】
運転支援判断部３４は、自車両において運転支援を実施するか否かを判断する部分である。運転支援判断部３４は、ＴＴＣ及びＴＴＶをマップＭに適用して、自車両において運転支援を実施するか否かを判断する。具体的には、運転支援判断部３４は、衝突時間予測部３０から出力されたＴＴＣ情報及びＴＴＶ情報をマップＭに適用し、マップＭの範囲内にＴＴＣとＴＴＶとが交差する交点（ＴＴＣとＴＴＶとの関係を表す点）が位置するか否かを判断する。
【００２７】
そして、運転支援判断部３４は、ＴＴＣとＴＴＶとの交点がマップＭの範囲内に位置していると判断した場合に、その交点がマップＭのどのエリアに位置するのかを判断する。例えば、図３に示すように、運転支援判断部３４は、ＴＴＣとＴＴＶとが点Ｐ１で交わる場合には、運転支援不要エリアＡ１であるため、自車両において運転支援を実施しないと判断する。つまり、点Ｐ１で交わる場合には、移動体が交差地点に到達するときには自車両が交差地点を通過していることになる。
【００２８】
一方、運転支援判断部３４は、ＴＴＣとＴＴＶとが点Ｐ２で交わる場合には、運転支援エリアＡ２（介入制御エリアＡ２２）であるため、自車両において運転支援を実施すると判断する。運転支援判断部３４は、運転支援を実施すると判断した場合には、ＨＭＩエリアＡ２１、介入制御エリアＡ２２及び緊急介入制御エリアＡ２３のいずれかを示す情報を含む支援実施情報を運転支援制御部３８に出力する。
【００２９】
マップ変更部３６は、マップＭを変更する部分である。マップ変更部３６は、運転支援判断部３４によってＴＴＣ及びＴＴＶをマップＭに適用してＴＴＣ及びＴＴＶの交点がマップＭ上に最初に存在したときに、その交点が所定の領域に存在している場合、運転支援判断部３４によって運転支援を実施すると判断され易くなるようにマップＭを変更する。
【００３０】
マップ変更部３６は、運転支援判断部３４によりマップＭにＴＴＣ及びＴＴＶが適用されたときに、ＴＴＣとＴＴＶとが交差する交点がマップＭ上に最初に存在した領域に基づいて、マップＭの運転支援エリアＡ２（ＨＭＩエリアＡ２１）を変更する。ＴＴＣ及びＴＴＶの交点がマップＭ上に最初に存在した位置について、図４及び図５を参照して説明する。
【００３１】
図４（ａ）に示すように、例えば移動体Ｗが自車両Ｃの進行方向に交差する方向に移動している場合には、図５に示すように、ＴＴＣとＴＴＶとの交点ＦＰ１は、一点鎖線で囲む位置に最初に存在する。一方、図４（ｂ）に示すように、例えば移動体Ｗが最初は自車両Ｃの進行方向に沿って移動しており、その後に自車両Ｃの進行方向に交差する方向に移動方向を変更した場合には、図５に示すように、ＴＴＣとＴＴＶとの交点ＦＰ２は、一点鎖線で囲む位置に最初に位置する。このとき、この交点ＦＰ２が存在する領域は、運転支援不要エリアＡ１に設定されており、自車両Ｃの方が移動体Ｗよりも交差地点を先に通過する領域である。図４（ｂ）に示すような移動体Ｗの動きの場合、ＴＴＣ及びＴＴＶの交点ＦＰ２は運転支援エリアＡ２に存在しないため、自車両において運転支援を実施すると判断されない。
【００３２】
そこで、マップ変更部３６では、マップＭ上に最初に存在するＴＴＣとＴＴＶとの交点が所定の領域、すなわち自車両Ｃの方が移動体Ｗよりも交差地点を先に通過する領域に存在し、且つ、ＴＴＶが予め設定された閾値よりも小さい場合（ＴＴＶ＜閾値）には、ＨＭＩエリアＡ２１を拡大する。具体的には、マップ変更部３６は、図６に示すように、点Ｐを中心としてＨＭＩエリアＡ２１を規定する直線の傾きを変更し、ＭＨＩエリアＡ２１を拡大する。これにより、図７に示すように、ＴＴＣ及びＴＴＶの交点ＦＰ２は、ＨＭＩエリアＡ２１内に存在することになる。なお、上記の閾値及び直線の傾き量（ＨＭＩエリアＡ２１を拡大する範囲）は、実験結果や学習結果などに基づいて設定されている。
【００３３】
運転支援判断部３４は、マップ変更部３６によってマップＭが変更された場合、変更後のマップＭを用いて自車両において運転支援を実施するか否かを判断する。したがって、運転支援判断部３４は、図４（ｂ）に示す状況の場合、図２に示すマップＭでは運転支援を実施しないと判断するが、図７に示すマップ変更部３６によって変更されたマップＭでは運転支援を実施すると判断する。
【００３４】
図１に戻って、運転支援制御部３８は、自車両における運転支援を制御する部分である。運転支援制御部３８は、運転支援判断部３４から出力された支援実施情報を受け取ると、この支援実施情報に基づいて運転支援（介入制御）を制御する。介入制御は、例えば制動制御や操舵制御である。運転支援制御部３８は、支援実施情報においてＨＭＩエリアＡ２１を示す情報が含まれている場合には、ＨＭＩ９に警告指示信号を出力する。
【００３５】
運転支援制御部３８は、支援実施情報において介入制御エリアＡ２２及び緊急介入制御エリアＡ２３を示す情報が含まれている場合には、介入制御の制御量を算出する。運転支援制御部３８は、マップＭの介入制御エリアＡ２２及び緊急介入制御エリアＡ２３において制御量が設定されている場合には、マップＭに基づいて制動の制御量（目標の加速度（減速加速度）、速度）を算出する。また、運転支援制御部３８は、マップＭにおいて制御量が設定されていないときには、以下の式（３）に基づいて制動の制御量を算出する。
α×ＴＴＣ＋β×ＴＴＶ＋γ  …（３）
ここで、α，βは係数であり、γは定数である。α，β，γは、実験値などに基づいて設定されている。また、操舵の制御量は、実験値や所定の式などに基づいて算出する。運転支援制御部３８は、制御量を含む介入制御信号を介入制御ＥＣＵ１１に出力する。
【００３６】
ＨＭＩ９は、例えばブザー、ＨＵＤ（Head Up Display）、ナビゲーションシステムのモニタ、メータパネルなどである。ＨＭＩ９は、ＥＣＵ３から出力された警告指示信号を受け取ると、移動体が前方に存在することを運転者に警告する音声を流したり、警告文などを表示したりする。例えば、ＨＭＩ９がＨＵＤである場合には、フロントガラスに移動体が存在することを示すポップアップを表示する。
【００３７】
介入制御ＥＣＵ１１は、自車両において介入制御を実行させるＥＣＵである。介入制御ＥＣＵ１１は、ブレーキＥＣＵやエンジンＥＣＵ（いずれも図示しない）などから構成されており、ＥＣＵ３から出力された介入制御信号を受け取ると、介入制御信号に含まれる制御量に応じて例えばブレーキアクチュエータやステアリングアクチュエータ（いずれも図示しない）を制御して自動介入制御を実施する。
【００３８】
続いて、運転支援装置１の動作について説明する。図８は、運転支援装置の動作を示すフローチャートである。
【００３９】
図８に示すように、まず、移動体の状態が移動体検出センサ５により検出される（ステップＳ０１）。また、自車両の走行状態が車両センサ７により検出される（ステップＳ０２）。次に、移動体検出センサ５及び車両センサ７により検出された移動体情報及び車両情報に基づいて、ＴＴＣ及びＴＴＶが衝突時間予測部３０によって算出される（ステップＳ０３、第１時間予測ステップ、第２時間予測ステップ）。
【００４０】
続いて、衝突時間予測部３０によって算出されたＴＴＣ及びＴＴＶをマップ記憶部３２に格納されているマップＭに適用し（ステップＳ０４）、ＴＴＣ及びＴＴＶの交点がマップＭの範囲内であるか否かが判断される（ステップＳ０５、運転支援判断ステップ）。ＴＴＣ及びＴＴＶの交点がマップＭの範囲内であると判断された場合には、ステップＳ０６に進む。一方、ＴＴＣ及びＴＴＶの交点がマップＭの範囲内であると判断されなかった場合には、ステップＳ０１の処理に戻る。
【００４１】
ステップＳ０６では、マップＭ上に最初に存在するＴＴＣ及びＴＴＶの交点が所定の領域に存在しているか否かが判断される。交点が所定の領域に存在していると判断された場合には、ステップＳ０７に進む。一方、交点が所定の領域に存在していると判断されなかった場合には、ステップＳ０９に進む。
【００４２】
ステップＳ０７では、ＴＴＶが閾値よりも小さいか否かが判断される。ＴＴＶが閾値よりも小さいと判断された場合には、マップ変更部３６によってマップＭが変更される（ステップＳ０８、マップ変更ステップ）。一方、ＴＴＶが閾値よりも小さいと判断されなかった場合には、ステップＳ０８に進む。
【００４３】
ステップＳ０８では、運転支援の対象であるか否か、すなわち、ＴＴＣ及びＴＴＶの交点が運転支援エリアＡ２に存在しているか否かが運転支援判断部３４によって判断される（運転支援判断ステップ）。運転支援の対象であると判断された場合、ＴＴＣ及びＴＴＶの交点が介入制御エリアＡ２２及び緊急介入制御エリアＡ２３に存在する場合には、運転支援制御部３８において介入制御の制御量がマップＭに基づいて算出される（ステップＳ１０）。一方、運転支援の対象であると判断されなかった場合には、ステップＳ０１の処理に戻る。
【００４４】
そして、ステップＳ１０において算出された制御量に応じて運転支援が実施される（ステップＳ１１、運転支援制御ステップ）。具体的には、ＨＭＩ９によって運転者に対して警告が行われる。また、ＨＭＩ９による警告と共に、介入制御が介入制御ＥＣＵ１１により実施される。
【００４５】
以上説明したように、本実施形態では、衝突時間予測部３０においてＴＴＣ及びＴＴＶを算出して予測し、このＴＴＣ及びＴＴＶをマップＭに適用して、自車両において運転支援を実施するか否かを運転支援判断部３４が判断している。このように、移動体が交差地点に到達するＴＴＶ、すなわち移動体が自車両に近づく方向における衝突時間を予測することにより、運転支援の要否を適切に判断できる。その結果、例えば移動体が車道を横断したにもかかわらず運転支援が実施されるといった事態を回避でき、運転者に違和感を与えることのない効果的な運転支援を実施できる。
【００４６】
そして、本実施形態では、ＴＴＣ及びＴＴＣをマップＭに適用したときに最初にマップＭ上に存在する交点が所定の領域に存在する場合、運転支援判断部３４によって運転支援を実施すると判断され易くなるようにマップＭを変更する。例えば自車両の進行方向に沿って移動体が移動している状態から、移動体が自車両の進行方向に交差する方向に向きを変えたときには、自車両が交差地点に近づいている状態であり、移動体よりも先に自車両が交差地点を通過する可能性があるため、運転支援が実施されない場合がある。しかし、自車両の運転者は、運転支援の必要性を感じることがある。
【００４７】
そこで、本実施形態では、ＴＴＣ及びＴＴＶの交点が最初にマップＭ上に存在した位置に基づいてマップＭを変更して、運転支援を実施し易くすることにより、上記のような状況においても運転支援を実施できる。したがって、運転者の違和感を軽減できる。また、移動体が交差地点に到達するまでのＴＴＣを予測することにより、運転支援の要否を適切に判断して運転支援を実施できる。その結果、効果的な運転支援の実施が可能となる。
【００４８】
本発明は、上記実施形態に限定されるものではない。例えば、上記実施形態では、介入制御ＥＣＵ１１による介入制御を実施する場合、ＨＩＭ９による警告も同時に実施しているが、介入制御を実施する際にはＨＩＭ９による警告を実施しなくてもよい。
【００４９】
また、上記実施形態に加えて、自車両の周辺の状況（例えば、対向車の有無など）に応じて運転支援を実施する構成であってもよい。
【符号の説明】
【００５０】
１…運転支援装置、３…ＥＣＵ、３０…衝突時間予測部（第１時間予測部、第２時間予測部）、３４…運転支援判断部（運転支援判断手段）、３６…マップ変更部（マップ変更手段）、３８…運転支援制御部（運転支援制御手段）、Ｍ…マップ。
【図１】
2013156687.tif 000003
【図２】
2013156687.tif 000004
【図３】
2013156687.tif 000005
【図４】
2013156687.tif 000006
【図５】
2013156687.tif 000007
【図６】
2013156687.tif 000008
【図７】
2013156687.tif 000009
【図８】
2013156687.tif 000010